(57)【要約】【課題】加圧部の電位よりも加熱部の電位が低くなる場合に比べて、トナーが加熱部へ転写されることを抑制することができる画像形成装置を提供する。【解決手段】回転し、記録媒体上のトナー像を定着する加熱部４３０と、加熱部４３０を加圧し、回転する加圧部４１２と、加圧部４１２の電位よりも加熱部４３０の電位が高くなるように加圧部４１２と加熱部４３０との間に電位差を付与する電位差付与手段４６０と、を有する定着装置４１０である。【選択図】図２
2018155958.tif 000002
【特許請求の範囲】
【請求項１】
回転し、記録媒体上のトナー像を定着する加熱部と、
前記加熱部を加圧し、回転する加圧部と、
前記加圧部の電位よりも前記加熱部の電位が高くなるように前記加圧部と前記加熱部との間に電位差を付与する電位差付与手段と、
を有する定着装置。
【請求項２】
前記加圧部は、接地されており、
前記加熱部は、前記電位差付与手段を介して接地されている請求項１に記載の定着装置。
【請求項３】
前記電位差付与手段は、予め定められた抵抗値を有する加熱部側抵抗体である請求項２に記載の定着装置。
【請求項４】
前記加圧部は、予め定められた抵抗値を有する加圧部側抵抗体を挟んで接地されている請求項２又は３に記載の定着装置。
【請求項５】
前記加圧部は、予め定められた抵抗値を有する加圧部側抵抗体を挟んで接地されており、
前記電位差付与手段は、前記加圧部側抵抗体の抵抗値に比べて大きい抵抗値を有する加熱部側抵抗体である請求項２に記載の定着装置。
【請求項６】
前記加熱部及び前記加圧部は、接続部により１つに繋がれた後、接地されており、
前記加熱部は、前記接続部との間に前記電位差付与手段が介されている請求項１に記載の定着装置。
【請求項７】
前記電位差付与手段は、予め定められた抵抗値を有する加熱部側抵抗体である請求項６に記載の定着装置。
【請求項８】
前記加圧部は、前記接続部との間に予め定められた抵抗値を有する加圧部側抵抗体が挟まれている請求項６又は７に記載の定着装置。
【請求項９】
前記加圧部は、前記接続部との間に予め定められた抵抗値を有する加圧部側抵抗体加圧部が挟まれており、
前記電位差付与手段は、前記加圧部側抵抗体の抵抗値に比べて大きい抵抗値を有する加熱部側抵抗体である請求項６に記載の定着装置。
【請求項１０】
前記電位差付与手段は、予め定められた抵抗値を有する加熱部側抵抗体である請求項６に記載の定着装置。
【請求項１１】
前記接続部と接地された間に、他の抵抗体が設けられている請求項６又は１０に記載の定着装置。
【請求項１２】
前記加熱部には、発熱部材として面状発熱体が設けられている請求項１乃至１１のいずれかに記載の定着装置。
【請求項１３】
記録媒体にトナー像を形成する画像形成部と、
回転し、前記画像形成部により形成された記録媒体上のトナー像を定着する加熱部と、
前記加熱部を加圧し、回転する加圧部と、
前記加圧部の電位よりも前記加熱部の電位が高くなるように前記加圧部と前記加熱部との間に電位差を付与する電位差付与手段と、
を有する画像形成装置。
【発明の詳細な説明】
【技術分野】
【０００１】
本発明は、定着装置及び画像形成装置に関する。
【背景技術】
【０００２】
トナーの定着時の画像の不具合を抑制する発明として、例えば、下記特許文献１に、弾性層を有する定着ローラと、該定着ローラ外表面に低熱容量の加熱ヒータを接触、摺擦させて加熱ニップ部を形成する加熱部材と、上記定着ローラに圧接して定着ニップ部を形成する加圧部材と、を有し、上記定着ニップ部に未定着トナー画像が形成された記録材を挟時搬送させることで加熱定着させる加熱定着装置において、上記加熱ヒータは、基板上に通電回路として独立した発熱パターンが複数存在するよう形成されるとともに、少なくとも一つの発熱パターンが前記定着ローラとの加熱ニップ部の外側に設けられていることを特徴とする加熱定着装置が開示されている。
【０００３】
また、下記特許文献２には、定着温度に加熱する加熱部材とそれに押し当てる加圧部材間に記録媒体を通してそれら加熱部材と加圧部材とで搬送しながら記録媒体上のトナー画像を定着する熱定着装置において、前記加圧部材に接触してその加圧部材上のトナーを除去するクリーニング部材を設けるとともに、そのクリーニング部材に付着したトナー量を検出するトナー量検出手段を備えることを特徴とする、熱定着装置の発明が開示されている。
【先行技術文献】
【特許文献】
【０００４】
【特許文献１】特開２００８−２６８７２８号公報
【特許文献２】特開２００５−０７０６０２号公報
【発明の概要】
【発明が解決しようとする課題】
【０００５】
定着装置を通過する記録媒体に塗布されたトナーが回転部材から加熱部材への電荷の流れにより加熱部材に付着するおそれがある。
【０００６】
本発明は、加圧部の電位よりも加熱部の電位が低くなる場合に比べて、トナーが加熱部へ転写されることを抑制することができる定着装置及び画像形成装置を提供することを目的とする。
【課題を解決するための手段】
【０００７】
請求項１に係る本発明は、回転し、記録媒体上のトナー像を定着する加熱部と、前記加熱部を加圧し、回転する加圧部と、前記加圧部の電位よりも前記加熱部の電位が高くなるように前記加圧部と前記加熱部との間に電位差を付与する電位差付与手段と、を有する定着装置である。
【０００８】
請求項２に係る本発明は、前記加圧部は、接地されており、前記加熱部は、前記電位差付与手段を介して接地されている請求項１に記載の定着装置である。
【０００９】
請求項３に係る本発明は、前記電位差付与手段は、予め定められた抵抗値を有する加熱部側抵抗体である請求項２に記載の定着装置である。
【００１０】
請求項４に係る本発明は、前記加圧部は、予め定められた抵抗値を有する加圧部側抵抗体を挟んで接地されている請求項２又は３に記載の定着装置である。
【００１１】
請求項５に係る本発明は、前記加圧部は、予め定められた抵抗値を有する加圧部側抵抗体を挟んで接地されており、前記電位差付与手段は、前記加圧部側抵抗体の抵抗値に比べて大きい抵抗値を有する加熱部側抵抗体である請求項２に記載の定着装置である。
【００１２】
請求項６に係る本発明は、前記加熱部及び前記加圧部は、接続部により１つに繋がれた後、接地されており、前記加熱部は、前記接続部との間に前記電位差付与手段が介されている請求項１に記載の定着装置である。
【００１３】
請求項７に係る本発明は、前記電位差付与手段は、予め定められた抵抗値を有する加熱部側抵抗体である請求項６に記載の定着装置である。
【００１４】
請求項８に係る本発明は、前記加圧部は、前記接続部との間に予め定められた抵抗値を有する加圧部側抵抗体が挟まれている請求項６又は７に記載の定着装置である。
【００１５】
請求項９に係る本発明は、前記加圧部は、前記接続部との間に予め定められた抵抗値を有する加圧部側抵抗体加圧部が挟まれており、前記電位差付与手段は、前記加圧部側抵抗体の抵抗値に比べて大きい抵抗値を有する加熱部側抵抗体である請求項６に記載の定着装置である。
【００１６】
請求項１０に係る本発明は、前記電位差付与手段は、予め定められた抵抗値を有する加熱部側抵抗体である請求項６に記載の定着装置である。
【００１７】
請求項１１に係る本発明は、前記接続部と接地された間に、他の抵抗体が設けられている請求項６又は１０に記載の定着装置である。
【００１８】
請求項１２に係る本発明は、前記加熱部には、発熱部材として面状発熱体が設けられている請求項１乃至１１のいずれかに記載の定着装置である。
【００１９】
請求項１３に係る本発明は、記録媒体にトナー像を形成する画像形成部と、回転し、前記画像形成部により形成された記録媒体上のトナー像を定着する加熱部と、前記加熱部を加圧し、回転する加圧部と、前記加圧部の電位よりも前記加熱部の電位が高くなるように前記加圧部と前記加熱部との間に電位差を付与する電位差付与手段と、を有する画像形成装置である。
【発明の効果】
【００２０】
請求項１に係る本発明によれば、加圧部の電位よりも加熱部の電位が低くなる場合に比べて、トナーが加熱部へ転写されることを抑制することができる。
【００２１】
請求項２に係る本発明によれば、請求項１に係る本発明の効果に加えて、基準電圧を確保することができる。
【００２２】
請求項３に係る本発明によれば、請求項２に係る本発明の効果に加えて、予め定められた抵抗値を有する加熱部側抵抗体を用いない場合に比べて、電位差付与手段を簡単な構造とすることができる。
【００２３】
請求項４に係る本発明によれば、請求項２又は３に係る本発明の効果に加えて、加圧部側抵抗体を挟まずに接地する場合に比べて、加熱部からの電流のリークを抑制することができる。
【００２４】
請求項５に係る本発明によれば、請求項２に係る本発明の効果に加えて、加熱部側抵抗体の抵抗値を加圧部側抵抗体の抵抗値に比べて小さくする場合に比べて、トナーが加熱部へ転写されることを抑制することができる。
【００２５】
請求項６に係る本発明によれば、請求項１に係る本発明の効果に加えて、１つに繋がれずに接地される場合に比べて、構造を簡単にすることができる。
【００２６】
請求項７に係る本発明によれば、請求項６に係る本発明の効果に加えて、予め定められた抵抗値を有する加熱部側抵抗体を用いない場合に比べて、電位差付与手段を簡単な構造とすることができる。
【００２７】
請求項８に係る本発明によれば、請求項６又は７に係る本発明の効果に加えて、加圧部側抵抗体を挟まずに接地する場合に比べて、加熱部からの電流のリークを抑制することができる。
【００２８】
請求項９に係る本発明によれば、請求項６に係る本発明の効果に加えて、加熱部側抵抗体の抵抗値を加圧部側抵抗体の抵抗値に比べて小さくする場合に比べて、トナーが加熱部へ転写されることを抑制することができる。
【００２９】
請求項１０に係る本発明によれば、請求項６に係る本発明の効果に加えて、予め定められた抵抗値を有する加熱部側抵抗体を用いない場合に比べて、電位差付与手段を簡単な構造とすることができる。
【００３０】
請求項１１に係る本発明によれば、請求項６又は１０に係る本発明の効果に加えて、接続部と接地された間に、他の抵抗体が設けられていない場合に比べて、電位差付与手段が設けられた加熱部の電位を加圧部の電位よりも高くすることができる。
【００３１】
請求項１２に係る本発明によれば、請求項１乃至１１のいずれかに係る本発明の効果に加えて、加熱部に面状発熱体を用いない場合に比べて、小型化及び省エネルギーを図ることができる。
【００３２】
請求項１３に係る本発明によれば、加圧部の電位よりも加熱部の電位が低くなる場合に比べて、トナーが加熱部へ転写されることを抑制する画像形成装置を提供することができる。
【図面の簡単な説明】
【００３３】
【図１】実施形態１〜４に係る画像形成装置を示す側面断面図である。
【図２】実施形態１に係る定着装置を示す側面断面図である。
【図３】実施形態１〜４に係る発熱部材としての面状発熱体を示す平面図である。
【図４】実施形態２にかかる定着装置を示す側面断面図である。
【図５】実施形態３にかかる定着装置を示す側面断面図である。
【図６】実施形態４にかかる定着装置を示す側面断面図である。
【図７】他の例の定着装置を示す側面断面図である。
【発明を実施するための形態】
【００３４】
以下、図面を参照して本発明の各実施形態を説明する。ただし、以下に示す各実施形態は、本発明の技術思想を具体化するための画像形成装置を例示するものであって、本発明をこれに特定することを意図するものではなく、特許請求の範囲に含まれるその他の実施形態のものにも等しく適応し得るものである。
【００３５】
［実施形態１］
まず、図１〜３を参照して、実施形態１にかかる画像形成装置１０について説明する。実施形態１にかかる画像形成装置１０は、図１に示すように、画像形成装置本体１２を有し、画像形成装置本体１２内に黒のトナー像を形成する画像形成部１００Ｋ、イエローのトナー像を形成する画像形成部１００Ｙ、マゼンタのトナー像を形成する画像形成部１００Ｍ及びシアンのトナー像を形成する画像形成部１００Ｃと、転写装置２００と、定着装置４１０と、給紙装置４００とが設けられている。また、画像形成装置本体１２内には、記録媒体として用いられる用紙を搬送するための搬送路５００が形成されている。
【００３６】
画像形成装置本体１２には、用紙を排出するための排出口１４が形成されている。また、画像形成装置本体１２には、画像形成がなされた後の用紙が排出される排出部として用いられている排出トレー１６が装着されている。
【００３７】
画像形成部１００Ｋ、１００Ｙ、１００Ｍ、１００Ｃは構成が同一であるため、以下、画像形成部１００として一括して説明をする。画像形成部１００は、図１に示すように、電子写真方式が採用されていて、トナーで形成された像を保持する像保持体として用いられる、例えば円筒形状の感光体１０２と、感光体１０２を帯電する帯電手段としての帯電装置１１０と、帯電装置１１０によって帯電された感光体１０２の表面に光を照射し、感光体１０２の表面に静電潜像を形成する潜像形成装置１２０と、感光体１０２に形成された潜像をトナーを含む現像剤を用いて現像し、感光体１０２の表面にトナー像を形成する現像手段としての現像装置１３０と、転写装置２００によってトナー像が後述する中間転写体２１０に転写された後に、感光体１０２を清掃する清掃手段としての清掃装置１４０と、を有する。
【００３８】
転写装置２００は、像を保持する被転写部材としての中間転写体２１０を有しており、中間転写体２１０は、帯状の部材であり、例えば無端状であって、例えば６個の支持ロール２２０、２２２、２２４、２２６、２２８、２３０によって図１に矢印ａで示す方向に回転することができるように支持されている。
【００３９】
６個の支持ロールのうちの少なくとも１つは、中間転写体２１０に駆動を伝達する駆動ロールとして用いられていて、この実施形態１においては、支持ロール２３０が駆動ロールとして用いられている。支持ロール２３０には、例えばモータ等の駆動源２３４が連結されている。また、支持ロール２２６は、二次転写ロール２５０に中間転写体２１０を介して対向する対向ロールとして用いられている。
【００４０】
また、転写装置２００は、一次転写部材として用いられている一次転写ロール２４０Ｋ、２４０Ｙ、２４０Ｍ、２４０Ｃを有する。一次転写ロール２４０Ｋ、２４０Ｙ、２４０Ｍ、２４０Ｃは、それぞれが中間転写体２１０の内側に４個の感光体１０２のいずれかに中間転写体２１０を介して対向するように配置されている。一次転写ロール２４０Ｋ、２４０Ｙ、２４０Ｍ、２４０Ｃには、それぞれに一次転写バイアスが印加されて、一次転写ロール２４０Ｋ、２４０Ｙ、２４０Ｍ、２４０Ｃによって４個の感光体１０２から中間転写体２１０への各色のトナー像の転写がなされる。なお、一次転写ロール２４０Ｋ、２４０Ｙ、２４０Ｍ、２４０Ｃをまとめて一次転写ロール２４０という場合がある。
【００４１】
また、転写装置２００は、二次転写ロール２５０を有する。二次転写ロール２５０は、中間転写体２１０から用紙へトナー像が転写される転写領域Ｎを形成するように、中間転写体２１０に接触する回転体として用いられている。二次転写ロール２５０には、二次転写バイアスが印加されて、二次転写ロール２５０によって中間転写体２１０から用紙へのトナー像の転写がなされる。二次転写ロール２５０は、不図示の押付機構等によって中間転写体２１０に押し付けられている。
【００４２】
定着装置４１０は、内部に熱源を有する加熱部４３０と、加熱部４３０に接触する加圧部４１２とを有し、加熱部４３０と加圧部４１２との接触部（押圧領域４７０）で用紙に転写されたトナーを加熱し、加圧することで用紙にトナー像を定着させる。なお、定着装置４１０の詳細については後述する
【００４３】
給紙装置４００は、転写領域Ｎに向けて用紙を供給する。また、給紙装置４００は、用紙が積層された状態で収納される用紙収納容器４０２と、用紙収納容器４０２から用紙を送り出す送り出しロール４０４とを有する。
【００４４】
搬送路５００は、給紙装置４００から転写領域Ｎに向けて用紙を搬送し、転写領域Ｎから定着装置４１０に向けて用紙を搬送し、画像形成装置本体１２内から排出するように用紙を搬送するための搬送路である。搬送路５００近傍には、搬送路５００に沿って用紙の搬送方向における上流側から順に、先述の送り出しロール４０４と、搬送ロール５１０と、レジストロール５２０と、先述の二次転写ロール２５０と、先述の定着装置４１０とが配置されている。
【００４５】
レジストロール５２０は、転写領域Ｎに向けて搬送される用紙の先端部の移動を一時的に停止させ、中間転写体２１０により転写領域Ｎへとトナー像が搬送されるタイミングと合致するように用紙の先端部の転写領域Ｎに向けての移動を再開させる。
【００４６】
次に、主に図２を参照して、実施形態１の定着装置４１０について説明する。定着装置４１０は、図２に示すように、加圧部４１２と、加圧部４１２と対向する加熱部４３０とを有している。また、加熱部４３０は、発熱部材としての面状発熱体４４０と、面状発熱体４４０により加熱される外形が円筒状の無端帯状体であって、例えば、多層構造で形成されている加熱部材４３２と、を有している。
【００４７】
加圧部４１２は、円筒状のロール部４１４を有し、加熱部４３０と対向するように設けられ、加熱部４３０の加熱部材４３２の外面に押し当てられて不図示の駆動手段により図１の矢印Ａ方向に回転する。そして、加圧部４１２と加熱部４３０の保持部材４３４とにより加熱部材４３２を挟持した状態で押圧領域４７０を形成し、この押圧領域４７０に未定着のトナー像を保持した記録媒体を通過させることで、熱および圧力を加えて未定着のトナー像を記録媒体に定着させる。
【００４８】
また、ロール部４１４は、例えば鉄やステンレス、アルミニウム等の金属材料からなる軸部４１６と、この軸部４１６を覆う弾性層４１８と、弾性層４１８に被膜又は塗布された離型層４２０を有する、いわゆるソフトロールとなっている。なお、離型層４２０は、絶縁性で離型性の優れた材料、例えばＰＦＡ等で形成されている。
【００４９】
なお、加圧部４１２のロール部４１４は接地されており、実施形態１では、ロール部４１４の軸部４１６から加圧部側抵抗体４２２を挟んで接地されている。このように加圧部４１２を加圧部側抵抗体４２２を挟んで接地することで、加熱部４３０の面状発熱体４４０の電極からの電流漏れ（リーク電流）を抑制することができる。
【００５０】
また、加圧部４１２は、ロール部４１４が、例えばコイルスプリング等の弾性体からなる押圧部材によって加熱部４３０に対して押し付けられている（図示省略）。この押圧部材は、例えば、一端部が軸部４１６に装着され、他端部が画像形成装置本体１２に装着されている。
【００５１】
また、加熱部４３０は、加熱部材４３２と、この加熱部材４３２の内側に、加熱部材４３２を加熱する発熱部材としての面状発熱体４４０と、面状発熱体４４０が保持される保持部材４３４と、保持部材４３４が支持されるフレーム部材４５２と、を有している。このとき、保持部材４３４は、フレーム部材４５２に支持されており、加圧部４１２からの押圧に耐える構造となっている。
【００５２】
加熱部４３０の加熱部材４３２は、外形が円筒状の無端帯状体であって、例えば、多層構造で形成されている。また、加熱部材４３２の長手方向の両端には、加熱部材４３２が支持される、例えば、円形の支持部材（不図示）がそれぞれ設けられており、この支持部材には加熱部材４３２を回転させる加熱部材歯車（不図示）が設けられており、この加熱部材歯車の一方側は画像形成装置本体１２内のモータ等の駆動手段（不図示）と繋がれている。この加熱部材４３２は、矢印Ｃ方向に回転され、矢印Ｂ方向に搬送されてきた用紙上の現像剤像が加熱される（図１参照）。
【００５３】
発熱部材としての面状発熱体４４０は、図３に示すように、所定の面積を有し、加熱部４３０の長手方向に沿って長尺な板状体で形成され、電気絶縁性の基材４４２と、例えば、ポリイミド系の耐熱樹脂で形成された絶縁層４４４と、給電用の一対の電極４４６と、この電極４４６から電力が供給されることで発熱する例えばステンレス製の抵抗発熱部４４８とを有している。また、電極４４６と抵抗発熱部４４８とは、給電部４５０により繋がれており、電極４４６、給電部４５０及び抵抗発熱部４４８は絶縁層４４４に埋没されている。
【００５４】
また、面状発熱体４４０は電極４４６が接地されており、実施形態１では、加熱部側抵抗体４６２を挟んで接地されている。なお、この面状発熱体４４０の電極４４６から接地されるまでの間が電位差付与手段４６０となっている。
【００５５】
保持部材４３４は、例えば、耐熱性の高いＬＣＰ（液晶ポリマー）等の樹脂材料によって形成されており、加圧部４１２と対向する側に面状発熱体４４０を保持するための溝部４３６が長手方向に沿って形成されている。
【００５６】
また、保持部材４３４は、溝部４３６に面状発熱体４４０を保持した状態で、加圧部４１２に押圧されることで、押圧領域４７０を形成するようになる。
【００５７】
フレーム部材４５２は、例えば、金属材料で形成されており、保持部材４３４を支持するとともに、その両端が支持部材（不図示）に固定され、保持部材４３４が加圧部４１２からの押圧に対して耐えることができるようにされている。なお、加熱部４３０には、温度検出用のサーミスタ等を設けるようにしてもよい。
【００５８】
また、実施形態１の加熱部４３０は、面状発熱体４４０の電極４４６が設置されており、この電極４４６と接地との間に電位差付与手段４６０が設けられている。電位差付与手段４６０は、加熱部４３０側の電極４４６から接地される間の電位が、加圧部４１２側の軸部４１６から接地される間の電位より高くするために設けられている。
【００５９】
なお、実施形態１の加熱部４３０では、電位差付与手段４６０として、加熱部側抵抗体４６２が用いられ、面状発熱体４４０の電極４４６と接地の間に設けられている。
【００６０】
そして、この加熱部側抵抗体４６２を設けた加熱部４３０側の電極４４６から接地される間の抵抗値が、加圧部４１２側の加圧部側抵抗体４２２を設けた軸部４１６から接地される間の抵抗値より高くなるように、加熱部側抵抗体４６２の抵抗の大きさが設定されている。
【００６１】
具体的には、加圧部側抵抗体４２２の抵抗値をＲ１とし、加熱部側抵抗体４６２の抵抗値をＲ２としたとき、Ｒ１＜Ｒ２となるように設定することで、加圧部４１２側の電位に比べて加熱部４３０側の電位を高くすることができるようになる。このような構成とすることで、電荷が加圧部４１２側から加熱部４３０側に流れることを抑制することができ、加熱部４３０側にトナーが転移する、いわゆる静電オフセットを抑制することができる。
【００６２】
なお、電位差は、加熱部４３０側の電極４４６から接地までの間の全体の電位が、加圧部４１２側の軸部４１６から接地までの間の全体の電位より高くなるようにすればよい。そのため、加熱部４３０側及び加圧部４１２側のそれぞれが接地されるまでの配線の抵抗の状況により、加圧部側抵抗体４２２の抵抗値Ｒ１と加熱部側抵抗体４６２の抵抗値Ｒ２は、Ｒ１＝Ｒ２としてもよく、また、Ｒ１＞Ｒ２としてもよい場合がある。
【００６３】
［実施形態２］
また、実施形態１の画像形成装置１０の定着装置４１０では、加熱部４３０及び加圧部４１２をそれぞれ接地し、加熱部４３０側に電位差付与手段４６０としての加熱部側抵抗体４６２を設けた場合を説明したが、実施形態２の画像形成装置１０Ａの定着装置４１０Ａにおいては、加熱部４３０側の接地と加圧部４１２側の接地を共通とした場合について説明する。なお、実施形態１と共通する構成については同一の符号を付し、詳細な説明は省略する。
【００６４】
すなわち、図４に示すように、定着装置４１０Ａの加熱部４３０側の接地用の配線と、加圧部４１２側の接地用の配線を途中の接続部４６４Ａで繋げ、一本の配線にした後、接地を行うような構成とされている。
【００６５】
このとき、各配線が繋げられる接続部４６４Ａより、加熱部４３０側に電位差付与手段４６０Ａとしての加熱部側抵抗体４６２を設け、また、加圧部４１２側に加圧部側抵抗体４２２を設けるようにして接地されている。
【００６６】
そして、実施形態１と同様に、実施形態２では、電位差付与手段４６０Ａとしての加熱部側抵抗体４６２の抵抗値Ｒ２は、加圧部側抵抗体４２２の抵抗値Ｒ１に比べて大きくすることで（Ｒ１＜Ｒ２）、加圧部４１２側の電位に比べて加熱部４３０側の電位を高くすることができるようになり、電荷が加圧部４１２側から加熱部４３０側に流れることを抑制することができ、加熱部４３０側にトナーが転移する、いわゆる静電オフセットを抑制することができる。
【００６７】
なお、実施形態２の電位差付与手段４６０Ａも実施形態１と同様に、加熱部４３０側の接地までの配線の状況により、加熱部側抵抗体４６２の抵抗値Ｒ２と加圧部側抵抗体４２２の抵抗値Ｒ１は、Ｒ１＝Ｒ２でもよく、また、Ｒ１＞Ｒ２としてもよい場合がある。
【００６８】
［実施形態３］
実施形態３の画像形成装置１０Ｂの定着装置４１０Ｂでは、図５に示すように、加熱部４３０側の接地の配線と加圧部４１２側の設置の配線が途中の接続部４６４Ｂで繋がれており、加熱部４３０側の配線に電位差付与手段４６０Ｂとしての加熱部側抵抗体４６２が設けられていることは共通するが、加圧部４１２側には、実施形態２と異なり、接続部４６４Ｂまでに加圧部側抵抗体を設けず、接続部４６４Ｂから接地される間に、他の抵抗体４６６が設けられた場合について説明する。なお、実施形態１と共通する構成については同一の符号を付し、詳細な説明は省略する。
【００６９】
このとき、他の抵抗体４６６の抵抗値をＲ３とした場合、加熱部４３０側は、加熱部側抵抗体４６２の抵抗値Ｒ２と他の抵抗体４６６の抵抗値Ｒ３を通る場合の経路の抵抗値（Ｒ２＋Ｒ３）に比べ、加圧部４１２側の経路は、他の抵抗体４６６の抵抗値Ｒ３のみを通ることとなる。
【００７０】
そのため、加圧部４１２側の電位に比べて加熱部４３０側の電位を高くすることができるようになり、電荷が加圧部４１２側から加熱部４３０側に流れることを抑制することができ、加熱部４３０側にトナーが転移する、いわゆる静電オフセットを抑制することができる。
【００７１】
なお、実施形態３では、加熱部側抵抗体４６２の抵抗値Ｒ２と他の抵抗体４６６の抵抗値Ｒ３との大きさは、加熱部４３０側の経路が加圧部４１２側の経路に比べて常に抵抗値が高くなるような構成となっているので、各抵抗値は任意とすることができる。
【００７２】
［実施形態４］
実施形態４の画像形成装置１０Ｃの定着装置４１０Ｃでは、図６に示すように、加熱部４３０側の電位を加圧部４１２側の電位に対して大きくするために、加熱部４３０側に電位差付与手段４６０Ｃとしての加熱部側抵抗体４６２を挟んで接地させるが、加圧部４１２側は、抵抗体を設けずにそのまま接地するようにされている。なお、実施形態１と共通する構成については同一の符号を付し、詳細な説明は省略している。
【００７３】
このような構成とすることでも、加圧部４１２側の電位に比べて加熱部４３０側の電位を高くすることができるようになり、電荷が加圧部４１２側から加熱部４３０側に流れることを抑制することができ、加熱部４３０側にトナーが転移する、いわゆる静電オフセットを抑制することができる。
【００７４】
なお、各実施形態１〜４では、加熱部４３０の発熱部材として面状発熱体４４０を用いた場合を説明したが、これに限らず、円筒状の無端帯状体の加熱部材４３２自体に発熱部材が埋め込まれることで、この加熱部材自体が発熱する発熱回転体を用いてもよく、この発熱回転体を電位差付与手段４６０としての加熱部側抵抗体４６２を挟んで接地することで、実施形態１〜４と同様の効果を得ることができる。
【００７５】
さらに、加熱部４３０の発熱部材として、カーボンランプヒータやハロゲンランプヒータ等を用いても場合でもよく、さらに、加熱部に複数の発熱部材、例えば、２本の加熱ロールを加熱部材の内側と外側の両側に配置するようにしてもよい。そして、これらの加熱部材又は発熱部材を電位差付与手段４６０としての加熱部側抵抗体４６２を挟んで接地することで、実施形態１〜４と同様の効果を奏することができる。
【００７６】
また、電位差付与手段としては、上述したような抵抗体を設けるほか、図７に示す画像形成装置１０Ｄの定着装置４１０Ｄのように、電位差付与手段４６０Ｄとして加熱部４３０に他の電源４６８を接続するようにしてもよい。そして、他の電源４６８から加熱部４３０に対して、加圧部４１２側の電位に比べて加熱部４３０側の電位が高くなるようなバイアス電圧を印加することで、加圧部４１２から加熱部４３０へ電荷が流れることを抑制することができるようになる。
【符号の説明】
【００７７】
１０、１０Ａ、１０Ｂ、１０Ｃ  画像形成装置
４１０、４１０Ａ、４１０Ｂ、４１０Ｃ、４１０Ｄ  定着装置
４１２  加圧部
４１４  ロール部
４１６  軸部
４１８  弾性層
４２０  離型層
４２２  加圧部側抵抗体
４３０  加熱部
４３２  加熱部材
４３４  保持部材
４３６  溝部
４４０  面状発熱体
４４６  電極
４４８  抵抗発熱部
４５０  給電部
４６０、４６０Ａ、４６０Ｂ、４６０Ｃ、４６０Ｄ  電位差付与手段
４６２  加熱部側抵抗体
４６４Ａ、４６４Ｂ  接続部
４６６  他の抵抗体
４６８  電源
４７０  押圧領域
【図１】
2018155958.tif 000003
【図２】
2018155958.tif 000004
【図３】
2018155958.tif 000005
【図４】
2018155958.tif 000006
【図５】
2018155958.tif 000007
【図６】
2018155958.tif 000008
【図７】
2018155958.tif 000009